(57)【特許請求の範囲】
【請求項１】
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを取得するデータ取得手段と、
所定の画面サイズを持つ表示手段と、
前記電子コミックデータの前記ページ画像内で前記表示手段の前記画面サイズに対応した表示範囲を順次移動させる移動順序を決定する移動順序決定手段であって、前記電子コミックデータの前記付帯情報に基づいて、前記重要領域を含む前記表示範囲を前記表示手段に順次表示させる移動順序を決定する移動順序決定手段と、
前記移動順序決定手段によって決定された前記表示範囲の移動順序に従って、前記ページ画像から前記表示範囲毎の画像を順次抽出して前記表示手段に表示させる表示制御手段と、
を備え、
前記移動順序決定手段は、前記ページ画像内で前記表示範囲を移動させると前記表示範囲の移動前と移動後との差分領域内に前記重要領域が存在するか否かを判定し、前記差分領域内に前記重要領域が存在しないと判定された場合には前記差分領域に対応した移動を省略して前記表示範囲の移動順序を決定するビューワ装置。
【請求項２】
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを取得するデータ取得手段と、
所定の画面サイズを持つ表示手段と、
前記電子コミックデータの前記ページ画像内で前記表示手段の前記画面サイズに対応した表示範囲を順次移動させる移動順序を決定する移動順序決定手段であって、前記電子コミックデータの前記付帯情報に基づいて、前記重要領域を含む前記表示範囲を前記表示手段に順次表示させる移動順序を決定する移動順序決定手段と、
前記移動順序決定手段によって決定された前記表示範囲の移動順序に従って、前記ページ画像から前記表示範囲毎の画像を順次抽出して前記表示手段に表示させる表示制御手段と、
を備え、
前記付帯情報は、コマ毎又は領域毎に重要度に対応した数値情報を含み、前記移動順序決定手段は、前記付帯情報内の前記重要度に対応した数値情報に基づいて前記表示範囲の移動順序を決定するビューワ装置。
【請求項３】
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを取得するデータ取得手段と、
所定の画面サイズを持つ表示手段と、
前記電子コミックデータの前記ページ画像内で前記表示手段の前記画面サイズに対応した表示範囲を順次移動させる移動順序を決定する移動順序決定手段であって、前記電子コミックデータの前記付帯情報に基づいて、前記重要領域を含む前記表示範囲を前記表示手段に順次表示させる移動順序を決定する移動順序決定手段と、
前記移動順序決定手段によって決定された前記表示範囲の移動順序に従って、前記ページ画像から前記表示範囲毎の画像を順次抽出して前記表示手段に表示させる表示制御手段と、
を備え、
前記付帯情報は、前記テキスト領域、前記吹出し領域及び前記関心領域のうちでいずれが前記重要領域であるかを示す重要領域指定情報を含み、前記移動順序決定手段は、前記付帯情報内の前記重要領域指定情報に基づいて前記表示範囲の移動順序を決定するビューワ装置。
【請求項４】
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを取得するデータ取得手段と、
所定の画面サイズを持つ表示手段と、
前記電子コミックデータの前記ページ画像内で前記表示手段の前記画面サイズに対応した表示範囲を順次移動させる移動順序を決定する移動順序決定手段であって、前記電子コミックデータの前記付帯情報に基づいて、前記重要領域を含む前記表示範囲を前記表示手段に順次表示させる移動順序を決定する移動順序決定手段と、
前記移動順序決定手段によって決定された前記表示範囲の移動順序に従って、前記ページ画像から前記表示範囲毎の画像を順次抽出して前記表示手段に表示させる表示制御手段と、
を備え、
前記テキスト領域、前記吹出し領域及び前記関心領域のうちでいずれを前記重要領域とするかを示す詳細モードの設定入力を受け付ける詳細モード設定入力手段を備え、前記移動順序決定手段は、前記詳細モード設定入力手段によって設定入力された前記詳細モードに基づいて前記表示範囲の移動順序を決定するビューワ装置。
【請求項５】
前記付帯情報は、前記ページ画像内の各コマの領域を示すコマ領域情報を含み、
前記移動順序決定手段は、前記ページ画像内の各コマの表示サイズが前記表示手段の画面サイズよりも大きい場合には、前記各コマ内で前記表示範囲を順次移動させる移動順序を決定する請求項１から４のいずれか１項に記載のビューワ装置。
【請求項６】
前記ページ画像の全域を順次表示させる全域表示モードと、前記ページ画像内の重要領域を順次表示させる重要領域表示モードとの切替指示の入力を受け付けるモード切替指示入力手段を備え、
前記移動順序決定手段は、前記全域表示モードの場合には前記ページ画像の全域を順次表示させる移動順序を決定し、前記重要領域表示モードの場合には前記電子コミックデータの前記付帯情報に基づいて前記重要領域を含む前記表示範囲を順次表示させる移動順序を決定する請求項１から５のいずれか１項に記載のビューワ装置。
【請求項７】
前記移動順序決定手段は、前記表示手段の前記画面サイズに基づいて前記表示範囲の移動順序を決定する請求項１、５及び６のいずれか１項に記載のビューワ装置。
【請求項８】
前記表示手段に表示された前記表示範囲の移動指示の入力を受け付ける移動指示入力手段を備え、
前記表示制御手段は、前記移動指示入力手段に前記移動指示が入力される毎に前記表示手段に表示された前記表示範囲を前記ページ画像内で移動させる請求項１から７のいずれか１項に記載のビューワ装置。
【請求項９】
前記テキスト領域情報は、前記テキスト領域の多角形の外周縁の各頂点を示す座標データ、前記テキスト領域の外周縁を示すベクトルデータ、又は前記テキスト領域を示すマスクデータである請求項１から８のいずれか１項に記載のビューワ装置。
【請求項１０】
前記吹出し領域情報は、前記吹出し領域の外周縁を示すベクトルデータ、又は前記吹出し領域を示すマスクデータである請求項１から９のいずれか１項に記載のビューワ装置。
【請求項１１】
前記関心領域情報は、前記コミックに登場するキャラクタが描かれた領域を前記関心領域として示す領域情報である請求項１から１０のいずれか１項に記載のビューワ装置。
【請求項１２】
前記関心領域情報は、前記関心領域の多角形の外周縁の各頂点を示す座標データ、前記関心領域の外周縁を示すベクトルデータ、又は前記関心領域を示すマスクデータである請求項１から１１のいずれか１項に記載のビューワ装置。
【請求項１３】
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを、所定の画面サイズを持つ表示手段を備えたビューワ装置に送信するサーバ装置であって、
前記電子コミックデータを取得するデータ取得手段と、
前記電子コミックデータの前記ページ画像内で前記表示手段の前記画面サイズに対応した表示範囲を順次移動させる移動順序を決定する移動順序決定手段であって、前記電子コミックデータの前記付帯情報に基づいて、前記重要領域を含む前記表示範囲を前記表示手段に順次表示させる移動順序を決定する移動順序決定手段と、
前記移動順序決定手段によって決定された前記移動順序を示す移動順序情報を前記電子コミックデータの前記付帯情報に書き込む情報編集を行う情報編集手段と、
を備え、
前記移動順序決定手段は、前記ページ画像内で前記表示範囲を移動させると前記表示範囲の移動前と移動後との差分領域内に前記重要領域が存在するか否かを判定し、前記差分領域内に前記重要領域が存在しないと判定された場合には前記差分領域に対応した移動を省略して前記表示範囲の移動順序を決定するサーバ装置。
【請求項１４】
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを、所定の画面サイズを持つ表示手段を備えたビューワ装置に送信するサーバ装置であって、
前記電子コミックデータを取得するデータ取得手段と、
前記電子コミックデータの前記ページ画像内で前記表示手段の前記画面サイズに対応した表示範囲を順次移動させる移動順序を決定する移動順序決定手段であって、前記電子コミックデータの前記付帯情報に基づいて、前記重要領域を含む前記表示範囲を前記表示手段に順次表示させる移動順序を決定する移動順序決定手段と、
前記移動順序決定手段によって決定された前記移動順序を示す移動順序情報を前記電子コミックデータの前記付帯情報に書き込む情報編集を行う情報編集手段と、
を備え、
前記付帯情報は、コマ毎又は領域毎に重要度に対応した数値情報を含み、前記移動順序決定手段は、前記付帯情報内の前記重要度に対応した数値情報に基づいて前記表示範囲の移動順序を決定するサーバ装置。
【請求項１５】
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを、所定の画面サイズを持つ表示手段を備えたビューワ装置に送信するサーバ装置であって、
前記電子コミックデータを取得するデータ取得手段と、
前記電子コミックデータの前記ページ画像内で前記表示手段の前記画面サイズに対応した表示範囲を順次移動させる移動順序を決定する移動順序決定手段であって、前記電子コミックデータの前記付帯情報に基づいて、前記重要領域を含む前記表示範囲を前記表示手段に順次表示させる移動順序を決定する移動順序決定手段と、
前記移動順序決定手段によって決定された前記移動順序を示す移動順序情報を前記電子コミックデータの前記付帯情報に書き込む情報編集を行う情報編集手段と、
を備え、
前記付帯情報は、前記テキスト領域、前記吹出し領域及び前記関心領域のうちでいずれが前記重要領域であるかを示す重要領域指定情報を含み、前記移動順序決定手段は、前記付帯情報内の前記重要領域指定情報に基づいて前記表示範囲の移動順序を決定するサーバ装置。
【請求項１６】
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを、所定の画面サイズを持つ表示手段を備えたビューワ装置に送信するサーバ装置であって、
前記電子コミックデータを取得するデータ取得手段と、
前記電子コミックデータの前記ページ画像内で前記表示手段の前記画面サイズに対応した表示範囲を順次移動させる移動順序を決定する移動順序決定手段であって、前記電子コミックデータの前記付帯情報に基づいて、前記重要領域を含む前記表示範囲を前記表示手段に順次表示させる移動順序を決定する移動順序決定手段と、
前記移動順序決定手段によって決定された前記移動順序を示す移動順序情報を前記電子コミックデータの前記付帯情報に書き込む情報編集を行う情報編集手段と、
を備え、
前記テキスト領域、前記吹出し領域及び前記関心領域のうちでいずれを前記重要領域とするかを示す詳細モードの設定入力を受け付ける詳細モード設定入力手段を備え、前記移動順序決定手段は、前記詳細モード設定入力手段によって設定入力された前記詳細モードに基づいて前記表示範囲の移動順序を決定するサーバ装置。
【請求項１７】
前記付帯情報は、前記ページ画像内の各コマの領域を示すコマ領域情報を含み、
前記移動順序決定手段は、前記ページ画像内の各コマの表示サイズが前記画面サイズよりも大きい場合には、前記各コマ内で前記表示範囲を順次移動させる移動順序を決定する請求項１３から１６のいずれか１項に記載のサーバ装置。
【請求項１８】
前記サーバ装置の前記情報編集手段は、前記ページ画像の全域を順次表示させる全域表示モード用の移動順序情報と、前記ページ画像内の重要領域を順次表示させる重要領域表示モード用の移動順序情報とを前記付帯情報に書き込む請求項１３から１７のいずれか１項に記載のサーバ装置。
【請求項１９】
請求項１３から１７のいずれか１項に記載のサーバ装置から前記電子コミックデータを受信する受信手段と、
前記所定の画面サイズを持つ表示手段と、
前記受信手段によって受信した前記電子コミックデータの前記付帯情報内の前記移動順序情報に従って、前記ページ画像から前記表示範囲毎の画像を順次抽出して前記表示手段に表示させる表示制御手段と、
を備えたビューワ装置。
【請求項２０】
請求項１８に記載のサーバ装置から前記電子コミックデータを受信する受信手段と、
前記所定の画面サイズを持つ表示手段と、
前記受信手段によって受信した前記電子コミックデータの前記付帯情報内の前記移動順序情報に従って、前記ページ画像から前記表示範囲毎の画像を順次抽出して前記表示手段に表示させる表示制御手段と、
前記全域表示モードと前記重要領域表示モードとの切替指示の入力を受け付けるモード切替指示入力手段と、を備え、
前記表示制御手段は、前記全域表示モードの場合には前記ページ画像の全域を前記表示手段に順次表示し、前記重要領域表示モードの場合には前記電子コミックデータの前記付帯情報に基づいて前記重要領域を含む前記表示範囲を前記表示手段に順次表示させるビューワ装置。
【請求項２１】
所定の画面サイズを持つ表示手段に電子コミックを表示させる表示制御方法であって、
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを取得するデータ取得工程と、
前記電子コミックデータの前記ページ画像内で前記表示手段の前記画面サイズに対応した表示範囲を順次移動させる移動順序を決定する移動順序決定工程であって、前記電子コミックデータの前記付帯情報に基づいて、前記重要領域を含む前記表示範囲を前記表示手段に順次表示させる移動順序を決定する移動順序決定工程と、
前記移動順序決定工程によって決定された前記移動順序に従って、前記ページ画像から前記表示範囲毎の画像を順次抽出して前記表示手段に表示させる表示工程と、
を含む表示制御方法であって、
前記移動順序決定工程は、前記ページ画像内で前記表示範囲を移動させると前記表示範囲の移動前と移動後との差分領域内に前記重要領域が存在するか否かを判定し、前記差分領域内に前記重要領域が存在しないと判定された場合には前記差分領域に対応した移動を省略して前記表示範囲の移動順序を決定する表示制御方法。
【請求項２２】
所定の画面サイズを持つ表示手段に電子コミックを表示させる表示制御方法であって、
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを取得するデータ取得工程と、
前記電子コミックデータの前記ページ画像内で前記表示手段の前記画面サイズに対応した表示範囲を順次移動させる移動順序を決定する移動順序決定工程であって、前記電子コミックデータの前記付帯情報に基づいて、前記重要領域を含む前記表示範囲を前記表示手段に順次表示させる移動順序を決定する移動順序決定工程と、
前記移動順序決定工程によって決定された前記移動順序に従って、前記ページ画像から前記表示範囲毎の画像を順次抽出して前記表示手段に表示させる表示工程と、
を含む表示制御方法であって、
前記付帯情報は、コマ毎又は領域毎に重要度に対応した数値情報を含み、前記移動順序決定工程は、前記付帯情報内の前記重要度に対応した数値情報に基づいて前記表示範囲の移動順序を決定する表示制御方法。
【請求項２３】
所定の画面サイズを持つ表示手段に電子コミックを表示させる表示制御方法であって、
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを取得するデータ取得工程と、
前記電子コミックデータの前記ページ画像内で前記表示手段の前記画面サイズに対応した表示範囲を順次移動させる移動順序を決定する移動順序決定工程であって、前記電子コミックデータの前記付帯情報に基づいて、前記重要領域を含む前記表示範囲を前記表示手段に順次表示させる移動順序を決定する移動順序決定工程と、
前記移動順序決定工程によって決定された前記移動順序に従って、前記ページ画像から前記表示範囲毎の画像を順次抽出して前記表示手段に表示させる表示工程と、
を含む表示制御方法であって、
前記付帯情報は、前記テキスト領域、前記吹出し領域及び前記関心領域のうちでいずれが前記重要領域であるかを示す重要領域指定情報を含み、前記移動順序決定工程は、前記付帯情報内の前記重要領域指定情報に基づいて前記表示範囲の移動順序を決定する表示制御方法。
【請求項２４】
所定の画面サイズを持つ表示手段に電子コミックを表示させる表示制御方法であって、
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを取得するデータ取得工程と、
前記電子コミックデータの前記ページ画像内で前記表示手段の前記画面サイズに対応した表示範囲を順次移動させる移動順序を決定する移動順序決定工程であって、前記電子コミックデータの前記付帯情報に基づいて、前記重要領域を含む前記表示範囲を前記表示手段に順次表示させる移動順序を決定する移動順序決定工程と、
前記移動順序決定工程によって決定された前記移動順序に従って、前記ページ画像から前記表示範囲毎の画像を順次抽出して前記表示手段に表示させる表示工程と、
を含む表示制御方法であって、
前記テキスト領域、前記吹出し領域及び前記関心領域のうちでいずれを前記重要領域とするかを示す詳細モードの設定入力を受け付ける詳細モード設定入力工程を含み、前記移動順序決定工程は、前記詳細モード設定入力工程によって設定入力された前記詳細モードに基づいて前記表示範囲の移動順序を決定する表示制御方法。
【請求項２５】
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを編集する電子コミック編集方法であって、
前記電子コミックデータを取得するデータ取得工程と、
前記電子コミックデータの前記ページ画像内で所定の表示手段の画面サイズに対応した表示範囲を順次移動させる移動順序を決定する移動順序決定工程であって、前記電子コミックデータの前記付帯情報に基づいて、前記重要領域を含む前記表示範囲を前記表示手段に順次表示させる移動順序を決定する移動順序決定工程と、
前記移動順序決定工程によって決定された前記移動順序を示す移動順序情報を前記電子コミックデータの前記付帯情報に書き込む情報編集を行う情報編集工程と、
を含む電子コミック編集方法であって、
前記移動順序決定工程は、前記ページ画像内で前記表示範囲を移動させると前記表示範囲の移動前と移動後との差分領域内に前記重要領域が存在するか否かを判定し、前記差分領域内に前記重要領域が存在しないと判定された場合には前記差分領域に対応した移動を省略して前記表示範囲の移動順序を決定する電子コミック編集方法。
【請求項２６】
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを編集する電子コミック編集方法であって、
前記電子コミックデータを取得するデータ取得工程と、
前記電子コミックデータの前記ページ画像内で所定の表示手段の画面サイズに対応した表示範囲を順次移動させる移動順序を決定する移動順序決定工程であって、前記電子コミックデータの前記付帯情報に基づいて、前記重要領域を含む前記表示範囲を前記表示手段に順次表示させる移動順序を決定する移動順序決定工程と、
前記移動順序決定工程によって決定された前記移動順序を示す移動順序情報を前記電子コミックデータの前記付帯情報に書き込む情報編集を行う情報編集工程と、
を含む電子コミック編集方法であって、
前記付帯情報は、コマ毎又は領域毎に重要度に対応した数値情報を含み、前記移動順序決定工程は、前記付帯情報内の前記重要度に対応した数値情報に基づいて前記表示範囲の移動順序を決定する電子コミック編集方法。
【請求項２７】
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを編集する電子コミック編集方法であって、
前記電子コミックデータを取得するデータ取得工程と、
前記電子コミックデータの前記ページ画像内で所定の表示手段の画面サイズに対応した表示範囲を順次移動させる移動順序を決定する移動順序決定工程であって、前記電子コミックデータの前記付帯情報に基づいて、前記重要領域を含む前記表示範囲を前記表示手段に順次表示させる移動順序を決定する移動順序決定工程と、
前記移動順序決定工程によって決定された前記移動順序を示す移動順序情報を前記電子コミックデータの前記付帯情報に書き込む情報編集を行う情報編集工程と、
を含む電子コミック編集方法であって、
前記付帯情報は、前記テキスト領域、前記吹出し領域及び前記関心領域のうちでいずれが前記重要領域であるかを示す重要領域指定情報を含み、前記移動順序決定工程は、前記付帯情報内の前記重要領域指定情報に基づいて前記表示範囲の移動順序を決定する電子コミック編集方法。
【請求項２８】
コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを編集する電子コミック編集方法であって、
前記電子コミックデータを取得するデータ取得工程と、
前記電子コミックデータの前記ページ画像内で所定の表示手段の画面サイズに対応した表示範囲を順次移動させる移動順序を決定する移動順序決定工程であって、前記電子コミックデータの前記付帯情報に基づいて、前記重要領域を含む前記表示範囲を前記表示手段に順次表示させる移動順序を決定する移動順序決定工程と、
前記移動順序決定工程によって決定された前記移動順序を示す移動順序情報を前記電子コミックデータの前記付帯情報に書き込む情報編集を行う情報編集工程と、
を含む電子コミック編集方法であって、
前記テキスト領域、前記吹出し領域及び前記関心領域のうちでいずれを前記重要領域とするかを示す詳細モードの設定入力を受け付ける詳細モード設定入力工程を含み、前記移動順序決定工程は、前記詳細モード設定入力工程によって設定入力された前記詳細モードに基づいて前記表示範囲の移動順序を決定する電子コミック編集方法。
【請求項２９】
請求項２１から２４のいずれか１項に記載の表示制御方法をコンピュータ装置に実行させるプログラム。
【請求項３０】
請求項２５から２８のいずれか１項に記載の電子コミック編集方法をコンピュータ装置に実行させるプログラム。
【発明の詳細な説明】
【技術分野】
【０００１】
本発明は、ビューワ装置、サーバ装置、表示制御方法、電子コミック編集方法及びプログラムに係り、特に電子コミックを表示する技術に関する。
【背景技術】
【０００２】
携帯電話などの画面サイズが小さな表示装置でも電子コミックを閲覧できるようになってきた。
【０００３】
特許文献１には、１ページ分の漫画（電子コミック）の画像を分割した指定領域（例えばコマ領域）を一画面で表示可能か否かを判定し、一画面で表示不可能であると判定された場合には、複数回に分けて（即ち複数画面で）表示することで、その指定領域の全体を表示するようにした表示装置が開示されている。複数回に分けて表示を行う場合には、ユーザの画面送り操作に応じて画面送りを行う態様と、所定の時間間隔で自動的に画面送りを行う態様がある。
【０００４】
特許文献２には、漫画（電子コミック）の特定のコマに、複数のコマ位置が対応することがあるとの記載がある。
【先行技術文献】
【特許文献】
【０００５】
【特許文献１】特開２００５−２０２０６２号公報
【特許文献２】特開２００４−３５５２３５号公報
【発明の概要】
【発明が解決しようとする課題】
【０００６】
しかしながら、ユーザによる画面送り操作がある毎に画面送りを行う場合、ユーザは重要でない領域まで強制的に見させられてしまうという課題があった。つまり、従来は、電子コミックの重要な領域を順次観察することができなかった。表示装置の表示画面サイズによっては、画面送り操作が多くなってしまう。また、画面送り操作を行っても、あまり意味の無い部分を頻繁に見ることになると、ユーザは煩わしさを感じるだけでなく、コミックのストーリーがユーザに伝わり難くなるという問題もある。
【０００７】
所定の時間間隔で自動的に画面送りを行う場合であっても、あまり意味の無い部分をユーザに見させてしまう問題は解決しないので、ユーザは煩わしさを感じてしまうことになる。
【０００８】
また、表示する領域（指定領域）と表示しない領域（非指定領域）とをページ毎又はコマ毎に個別に設定入力することは容易でない。
【０００９】
本発明はこのような事情に鑑みてなされたもので、ユーザが電子コミックの重要領域を順次観察してストーリーを容易に把握することが可能になるビューワ装置、サーバ装置、表示制御方法、電子コミック編集方法及びプログラムを提供することを目的とする。
【課題を解決するための手段】
【００１０】
前記目的を達成するために、本発明は、コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを取得するデータ取得手段と、所定の画面サイズを持つ表示手段と、前記電子コミックデータの前記ページ画像内で前記表示手段の前記画面サイズに対応した表示範囲を順次移動させる移動順序を決定する移動順序決定手段であって、前記電子コミックデータの前記付帯情報に基づいて、前記重要領域を含む前記表示範囲を前記表示手段に順次表示させる移動順序を決定する移動順序決定手段と、前記移動順序決定手段によって決定された前記表示範囲の移動順序に従って、前記ページ画像から前記表示範囲毎の画像を順次抽出して前記表示手段に表示させる表示制御手段と、を備えたビューワ装置を提供する。
【００１１】
一実施形態では、前記移動順序決定手段は、前記ページ画像内で前記表示範囲を移動させると前記表示範囲の移動前と移動後との差分領域内に前記重要領域が存在するか否かを判定し、前記差分領域内に前記重要領域が存在しないと判定された場合には前記差分領域に対応した移動を省略して前記表示範囲の移動順序を決定する。
【００１２】
一実施形態では、前記付帯情報は、前記ページ画像内の各コマの領域を示すコマ領域情報を含み、前記移動順序決定手段は、前記ページ画像内の各コマの表示サイズが前記表示手段の画面サイズよりも大きい場合には、前記各コマ内で前記表示範囲を順次移動させる移動順序を決定する。
【００１３】
一実施形態では、前記ページ画像の全域を順次表示させる全域表示モードと、前記ページ画像内の重要領域を順次表示させる重要領域表示モードとの切替指示の入力を受け付けるモード切替指示入力手段を備え、前記移動順序決定手段は、前記全域表示モードの場合には前記ページ画像の全域を順次表示させる移動順序を決定し、前記重要領域表示モードの場合には前記電子コミックデータの前記付帯情報に基づいて前記重要領域を含む前記表示範囲を順次表示させる移動順序を決定する。
【００１４】
一実施形態では、前記付帯情報は、コマ毎又は領域毎に重要度に対応した数値情報を含み、前記移動順序決定手段は、前記付帯情報内の前記重要度に対応した数値情報に基づいて前記表示範囲の移動順序を決定する。
【００１５】
一実施形態では、前記付帯情報は、前記テキスト領域、前記吹出し領域及び前記関心領域のうちでいずれが前記重要領域であるかを示す重要領域指定情報を含み、前記移動順序決定手段は、前記付帯情報内の前記重要領域指定情報に基づいて前記表示範囲の移動順序を決定する。
【００１６】
一実施形態では、前記テキスト領域、前記吹出し領域及び前記関心領域のうちでいずれを前記重要領域とするかを示す詳細モードの設定入力を受け付ける詳細モード設定入力手段を備え、前記移動順序決定手段は、前記詳細モード設定入力手段によって設定入力された前記詳細モードに基づいて前記表示範囲の移動順序を決定する。
【００１７】
一実施形態では、前記移動順序決定手段は、前記表示手段の前記画面サイズに基づいて前記表示範囲の移動順序を決定する。
【００１８】
一実施形態では、前記表示手段に表示された前記表示範囲の移動指示の入力を受け付ける移動指示入力手段を備え、前記表示制御手段は、前記移動指示入力手段に前記移動指示が入力される毎に前記表示手段に表示された前記表示範囲を前記ページ画像内で移動させる。
【００１９】
一実施形態では、前記テキスト領域情報は、前記テキスト領域の多角形の外周縁の各頂点を示す座標データ、前記テキスト領域の外周縁を示すベクトルデータ、又は前記テキスト領域を示すマスクデータである。
【００２０】
一実施形態では、前記吹出し領域情報は、前記吹出し領域の外周縁を示すベクトルデータ、又は前記吹出し領域を示すマスクデータである。
【００２１】
一実施形態では、前記関心領域情報は、前記コミックに登場するキャラクタが描かれた領域を前記関心領域として示す領域情報である。
【００２２】
一実施形態では、前記関心領域情報は、前記関心領域の多角形の外周縁の各頂点を示す座標データ、前記関心領域の外周縁を示すベクトルデータ、又は前記関心領域を示すマスクデータである。
【００２３】
また、本発明は、コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを、所定の画面サイズを持つ表示手段を備えたビューワ装置に送信するサーバ装置であって、前記電子コミックデータを取得するデータ取得手段と、前記電子コミックデータの前記ページ画像内で前記表示手段の前記画面サイズに対応した表示範囲を順次移動させる移動順序を決定する移動順序決定手段であって、前記電子コミックデータの前記付帯情報に基づいて、前記重要領域を含む前記表示範囲を前記表示手段に順次表示させる移動順序を決定する移動順序決定手段と、前記移動順序決定手段によって決定された前記移動順序を示す移動順序情報を前記電子コミックデータの前記付帯情報に書き込む情報編集を行う情報編集手段と、を備えたサーバ装置を提供する。
【００２４】
一実施形態では、前記移動順序決定手段は、前記ページ画像内で前記表示範囲を移動させると前記表示範囲の移動前と移動後との差分領域内に前記重要領域が存在するか否かを判定し、前記差分領域内に前記重要領域が存在しないと判定された場合には前記差分領域に対応した移動を省略して前記表示範囲の移動順序を決定する。
【００２５】
一実施形態では、前記付帯情報は、前記ページ画像内の各コマの領域を示すコマ領域情報を含み、前記移動順序決定手段は、前記ページ画像内の各コマの表示サイズが前記画面サイズよりも大きい場合には、前記各コマ内で前記表示範囲を順次移動させる移動順序を決定する。
【００２６】
一実施形態では、前記サーバ装置の前記情報編集手段は、前記ページ画像の全域を順次表示させる全域表示モード用の移動順序情報と、前記ページ画像内の重要領域を順次表示させる重要領域表示モード用の移動順序情報とを前記付帯情報に書き込む。
【００２７】
一実施形態では、前記サーバ装置から前記電子コミックデータを受信する受信手段と、前記所定の画面サイズを持つ表示手段と、前記受信手段によって受信した前記電子コミックデータの前記付帯情報内の前記移動順序情報に従って、前記ページ画像から前記表示範囲毎の画像を順次抽出して前記表示手段に表示させる表示制御手段とを備えたビューワ装置を提供する。
【００２８】
一実施形態では、前記サーバ装置から前記電子コミックデータを受信する受信手段と、前記所定の画面サイズを持つ表示手段と、前記受信手段によって受信した前記電子コミックデータの前記付帯情報内の前記移動順序情報に従って、前記ページ画像から前記表示範囲毎の画像を順次抽出して前記表示手段に表示させる表示制御手段と、前記全域表示モードと前記重要領域表示モードとの切替指示の入力を受け付けるモード切替指示入力手段と、を備え、前記表示制御手段は、前記全域表示モードの場合には前記ページ画像の全域を前記表示手段に順次表示し、前記重要領域表示モードの場合には前記電子コミックデータの前記付帯情報に基づいて前記重要領域を含む前記表示範囲を前記表示手段に順次表示させるビューワ装置を提供する。
【００２９】
また、本発明は、所定の画面サイズを持つ表示手段に電子コミックを表示させる表示制御方法であって、コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを取得するデータ取得工程と、前記電子コミックデータの前記ページ画像内で前記表示手段の前記画面サイズに対応した表示範囲を順次移動させる移動順序を決定する移動順序決定工程であって、前記電子コミックデータの前記付帯情報に基づいて、前記重要領域を含む前記表示範囲を前記表示手段に順次表示させる移動順序を決定する移動順序決定工程と、前記移動順序決定工程によって決定された前記移動順序に従って、前記ページ画像から前記表示範囲毎の画像を順次抽出して前記表示手段に表示させる表示工程と、を含む表示制御方法を提供する。
【００３０】
また、本発明は、コミックの１ページ毎のページ画像と、前記コミックの１ページ毎又は全ページに対応する付帯情報であって、前記ページ画像内のテキストが描かれたテキスト領域を示すテキスト領域情報、前記ページ画像内の吹出しが描かれた吹出し領域を示す吹出し領域情報、及び前記ページ画像内のコミックの関心対象が描かれた関心領域を示す関心領域情報のうちで少なくともひとつを重要領域の領域情報として含む付帯情報とにより構成された電子コミックデータを編集する電子コミック編集方法であって、前記電子コミックデータを取得するデータ取得工程と、前記電子コミックデータの前記ページ画像内で所定の表示手段の画面サイズに対応した表示範囲を順次移動させる移動順序を決定する移動順序決定工程であって、前記電子コミックデータの前記付帯情報に基づいて、前記重要領域を含む前記表示範囲を前記表示手段に順次表示させる移動順序を決定する移動順序決定工程と、前記移動順序決定工程によって決定された前記移動順序を示す移動順序情報を前記電子コミックデータの前記付帯情報に書き込む情報編集を行う情報編集工程と、を含む電子コミック編集方法を提供する。
【００３１】
また、本発明は、前記表示制御方法をコンピュータ装置に実行させるプログラム（又は前記プログラムが記憶された記憶デバイス）を提供する。
【００３２】
また、本発明は、前記電子コミック編集方法をコンピュータ装置に実行させるプログラム（又は前記プログラムが記憶された記憶デバイス）を提供する。
【発明の効果】
【００３３】
本発明によれば、ユーザが電子コミックの重要領域を順次観察してストーリーを容易に把握することが可能になる。
【図面の簡単な説明】
【００３４】
【図１】電子コミック閲覧システムの一例を示す全体構成図
【図２】情報ファイルの一例を示す説明図
【図３】第１実施形態のサーバ装置及び電子ビューワ装置の内部構成例を示すブロック図
【図４】表示制御処理の一例の流れを示す概略フローチャート
【図５】ページ画像の一例を示す説明図
【図６】コマの再生順序の説明に用いる説明図
【図７】（Ａ）は吹出し領域情報の説明に用いる説明図、（Ｂ）はテキスト領域の説明に用いる説明図、（Ｃ）は関心領域情報の説明に用いる説明図
【図８】表示制御の第１実施例の説明に用いる説明図
【図９】表示制御の第１実施例における電子ビューワ装置での表示例
【図１０】表示制御の第２実施例の説明に用いる説明図
【図１１】表示制御の第２実施例における電子ビューワ装置での表示例
【図１２】重要領域がテキスト領域のみである場合の表示領域の移動例
【図１３】重要領域が関心領域のみである場合の表示領域の移動例
【図１４】第２実施形態のサーバ装置及び電子ビューワ装置の内部構成例を示すブロック図
【発明を実施するための形態】
【００３５】
以下、添付図面に従って、本発明の実施形態について、詳細に説明する。
【００３６】
図１は、電子書籍閲覧システムの一例を示す全体構成図である。
【００３７】
スキャナ１は、紙面のコミック（マンガ）原稿を読み取ることで、コミックの１ページ毎の画像（以下「ページ画像」という）を含む画像ファイルを生成する。尚、図１では、スキャナ１により紙面のコミック原稿をスキャン原稿として読み取ることで画像ファイルを取得する例を示したが、このような場合に本発明は限定されない。電子的に生成されたコミック原稿（デジタル原稿）を、ネットワークあるいは記録媒体を介して入力することで画像ファイルを取得してもよい。
【００３８】
電子コミック編集装置２は、スキャナ１等で入力された画像ファイルを含む電子コミックデータの編集を行って、電子コミックのマスタデータを生成する装置である。電子コミック編集装置２は、例えば、コンピュータ装置によって構成される。
【００３９】
サーバ装置３は、電子コミック編集装置２で編集された電子コミックのマスタデータを、必要に応じてビューワ装置４（４ａ〜４ｄ）の各々に対応した形式の電子コミックデータに変換し、ビューワ装置４からの配信要求に応じてネットワークを介して送信する。サーバ装置３は、例えば、コンピュータ装置によって構成される。
【００４０】
電子書籍ビューワ装置４は、サーバ装置３から送信された電子コミックデータを受信して、ページ画像（又はコマ画像）を表示する。ビューワ装置４は、携帯電話、タブレット端末等の各種の携帯端末、あるいはパーソナルコンピュータ等のコンピュータ装置等の各種の端末装置である。
【００４１】
電子書籍ビューワ装置４の表示画面サイズは機種毎に異なる。電子書籍ビューワ装置４の表示画面サイズが電子コミックデータの１ページ毎のページ画像の全体の表示サイズよりも小さい場合には、１ページ毎のページ画像内で、電子書籍ビューワ装置４の表示画面サイズに対応した表示範囲を所定の移動順序で順次移動させながら表示を行う。このようにページ画像内で表示画面サイズに対応した表示範囲を移動させながらビューワ装置４の表示画面に順次に表示することを、以下では「順次再生」又は「画面送り再生」ということもある。
【００４２】
サーバ装置３から電子書籍ビューワ装置４に送信する電子コミックデータは、ページ画像を含む画像ファイルと情報ファイル（付帯情報）により構成されている。
【００４３】
ページ画像は、高解像度の画像（例えば３０００×５０００画素又は１５００×２０００画素）の１ページ毎の画像からなる。
【００４４】
情報ファイルは、コミックの全ページ（又は１ページ毎）に対応する情報である。例えば、ＸＭＬファイル等のマークアップ言語で記述される。
【００４５】
図２は、情報ファイルの一例の概要を示す。
【００４６】
本例の情報ファイルは、ページに関するページ情報、コマに関する情報であるコマ情報、吹出しに関する情報である吹出し情報、テキスト領域に関するテキスト領域情報、関心領域に関する関心領域情報、これらの情報の関連付けを示す関連付け情報、などを含む。
【００４７】
ページ情報は、ページに関する情報、ページ名、ページＩＤの情報を含む。ページに関する情報とは、コンテンツ画像が１ページか見開き２ページかを示す情報、オリジナルコンテンツの大きさ等を含む情報である。本例のページ情報は、電子コミックに関する情報（タイトルＩＤ、タイトル名、著者、出版社（版権者）、出版年、言語等）を含む。
【００４８】
コマ情報は、コマ領域情報を含む。コマ領域情報は、ページ画像内の各コマの領域（コマ領域）を示す情報である。本例のコマ領域情報は、各コマの頂点の座標、各コマの形状が含まれる。コマ領域情報は、コマ境界を示すベクトルデータであっても良いし、コマ領域を示すマスクデータであっても良い。また、コマ情報は、ページ画像に含まれるコマ数、ページ画像内のコマの再生順序を示すコマ順序情報を含む。コマの再生順序は、例えば、右開き/左開きのページに関する情報、使用言語を示すコンテンツに関する情報、コマ領域情報から検知されるコマ割り等に基づいてページの右上から左下、左上から右下、移動方向（左右方向又は上下方向）等のいくつかのコマ順序の遷移パターンのうちから適切なパターンを選択し、その選択した遷移パターンに従って自動的に決定される。
【００４９】
吹出し情報は、吹出し領域情報を含む。吹出し領域情報としては、例えば、吹出し領域の外周縁を示すベクトルデータ、吹出し領域を示すマスクデータ（ビットマップ情報）が挙げられる。吹出し領域情報は、ページ画像内（又はコマ内）での吹出し領域を示す情報である。吹出し領域情報には、吹出しの形状、吹出しの起点（吹き出しの頂点）の位置と向き、吹出しのサイズが含まれていてもよい。また、吹出しの特定位置（中心位置）と吹出しのサイズによって吹出し領域情報を表してもよい。吹出し情報には、吹出しに含まれるテキストの情報、吹出しの描線の属性（点線、実線など）、吹出しの話者の識別情報、吹出しの属するコマなどがさらに含まれていてもよい。
【００５０】
テキスト情報は、テキスト領域情報とテキストの内容に関する情報とを含む。テキスト領域情報としては、例えば、描線上のテキスト領域に対応する複数点の座標データ（多角形の外周縁の各頂点を示す座標データ）、テキスト領域の外周縁を示すベクトルデータ、テキスト領域（範囲）を示すマスクデータ（例えばビットマップ情報）が挙げられる。また、テキストの内容に関する情報は、ＯＣＲにより特定されたテキスト（文章）文字属性情報、行数、行間隔、文字間隔、表示切替方法、使用言語、縦書き／横書き、読み方向の区別などを含む。文字属性情報には、文字サイズ（ポイント数など）、文字種別（フォント、強調文字など）がある。テキスト情報には、吹き出し内の話者の台詞が含まれる。また、吹き出し内に配置された原文の台詞に対応する各種言語の翻訳文とその使用言語（２以上の言語の翻訳文でもよい）も、このテキスト情報に含まれうる。
【００５１】
関心領域情報としては、関心領域（以下「ＲＯＩ」ともいう）の各頂点（多角形の外周縁の各頂点）を示す座標データ、ＲＯＩの外周縁を示すベクトルデータ、ＲＯＩを示すマスクデータ（例えばビットマップデータ）等が挙げられる。関心領域情報は、ＲＯＩの形状を示すデータを含んでいてもよい。また、関心領域情報には、ＲＯＩに含まれるキャラクタに関する情報（例えば、自動的につけられたキャラクタＩＤ）がさらに含まれてもよい。また、関心領域情報には、優先順位、表示に当っての重要度、キャラクタの識別情報（名称など）、キャラクタの属性（性別、年齢など）が含まれてもよい。本例の関心領域情報は、コミックに登場するキャラクタが描かれた領域を示す。
【００５２】
関連付け情報は、ページ画像内の領域同士の関連付けを示す情報である。関連付け情報としては、テキスト領域と関心領域との関連付け、吹出し領域と関心領域との関連付け、テキスト領域と吹出し領域との関連付け、テキスト領域とコマとの関連付け、吹出し領域とコマとの関連付け、関心領域とコマとの関連付け等が挙げられる。
【００５３】
以下では、電子書籍ビューワ装置４でページ画像内の表示範囲の移動順序を決定する第１実施形態と、サーバ装置３でページ画像内の表示範囲の移動順序を決定する第２実施形態とに分けて、詳細に説明する。
【００５４】
＜第１実施形態＞
図３は、第１実施形態におけるサーバ装置３及び電子書籍ビューワ装置４の内部構成例を示す構成図である。
【００５５】
サーバ装置３は、特定の管理者の指示入力を受け付け可能な操作デバイス、各種情報の入力（取得）及び出力が可能な入出力デバイス、各種の演算処理及び制御を行う制御デバイス、記憶デバイスを備えたコンピュータ装置である。電子書籍ビューワ装置４は、画像を表示可能な表示デバイス、ユーザの指示入力を受け付け可能な操作デバイス、各種情報の入力（取得）及び出力が可能な入出力デバイス、各種の演算処理及び制御を行う制御デバイスを備えた端末装置である。電子書籍ビューワ装置４は、例えば、携帯電話、携帯型タブレット端末、携帯型ゲーム機、携帯型コンピュータ装置などの各種の携帯端末で構成される。尚、サーバ装置３にアクセスする電子書籍ビューワ装置４は不特定多数であってもよいものとする。
【００５６】
図３において、サーバ装置３は、データベース（ＤＢ）３１、操作部３６、及び入出力部３７、及び制御部３９を備える。
【００５７】
ＤＢ３１は、ハードディスクやメモリなどの記憶デバイスで構成される。ＤＢ３１は、電子コミックデータを記憶する。操作部３６は、キーボード、マウス、タッチパッドなどの操作デバイスで構成される。入出力部３７は、本例では通信デバイスによって構成される。制御部３９は、ＣＰＵ（Central Processing Unit）などの制御デバイスで構成される。
【００５８】
図３において、電子書籍ビューワ装置４は、データベース（ＤＢ）４１、移動順序決定部４２、表示部４４、表示制御部４５、操作部４６、入出力部４７、実行制御部４９を備える。
【００５９】
ＤＢ４１は、電子コミックデータなどの各種情報を格納する。本例の電子コミックデータは、前述のように、コミックの１ページ毎のページ画像を含む画像ファイルと、コミックの１ページ毎（又は全ページ）に対応する情報ファイル（付帯情報）とによって構成されている。本例の情報ファイルは、ページ画像内のテキストが描かれたテキスト領域を示すテキスト領域情報、ページ画像内の吹出しが描かれた吹出し領域を示す吹出し領域情報、及びページ画像内のコミックの関心対象が描かれた関心領域を示す関心領域情報を含むものとする。尚、テキスト領域、吹出し領域及び関心領域のうちいずれを重要領域とするかについては、各種の態様があり、後に詳説する。
【００６０】
移動順序決定部４２は、電子コミックデータのページ画像内で表示範囲を順次移動させる移動順序（画面送りの移動順序）を決定する。
【００６１】
表示部４４は、画像を表示可能な表示デバイスで構成される表示手段であり、所定の画面サイズを持つ。表示部４４は、例えばＬＣＤにより構成される。
【００６２】
表示制御部４５（表示制御手段）は、移動順序決定部４２によって決定された移動順序に従って、ページ画像内の表示範囲毎の画像を表示部４４に順次表示させる。
【００６３】
操作部４６は、ユーザの指示入力を受け付ける。操作部４６は、表示部４４の画面上に配置したタッチセンサでもよいし、キー入力デバイス、ポインティングデバイスでもよい  本例の操作部４６は、第１に、ページ画像の全域を順次表示させる全域表示モードと、ページ画像内の重要領域を順次表示させる重要領域表示モードとの切替指示の入力を受け付けるモード切替指示入力手段として機能する。
【００６４】
また、本例の操作部４６は、第２に、表示部４４に表示された表示範囲の移動指示（画面送り指示）の入力を受け付ける移動指示入力手段として機能する。
【００６５】
入出力部４７は、各種情報の入出力を行う。本例の入出力部４７は、サーバ装置３と通信する通信デバイスで構成されており、サーバ装置３に電子コミックデータ要求を送信して、サーバ装置３から電子コミックデータを受信することで、電子コミックデータを取得する。入出力部４７は、本例のような通信デバイスには特に限定されず、コンピュータ読み取り可能な記録媒体に対する書き込み・読み出しを行う入出力デバイスであってもよい。
【００６６】
次に、移動順序決定部４２について詳説する。
【００６７】
移動順序決定部４２は、電子コミックデータのページ画像内で表示部４４の画面サイズに対応した表示範囲を順次移動させる移動順序（画面送りの移動順序）を決定する。本例の移動順序決定部４２は、電子コミックデータの情報ファイルに基づいて、重要領域を含む表示範囲を表示部４４に順次表示させる移動順序を決定する。尚、電子書籍ビューワ装置４の機種に依存しない基本の順序情報が電子コミックデータの情報ファイルに記述されていてもよい。電子コミックデータの情報ファイルに基本の順序情報が記述されていない場合でも、本発明を適用できる。
【００６８】
本例の移動順序決定部４２は、ページ画像内で表示範囲を移動させると表示範囲の移動前と移動後との差分領域内に重要領域が存在するか否かを判定し、差分領域内に重要領域が存在しないと判定された場合には差分領域に対応した移動を省略して表示範囲の移動順序を決定する。
【００６９】
また、情報ファイル（付帯情報）は、ページ画像内の各コマの領域を示すコマ領域情報を含み、本例の移動順序決定部４２は、ページ画像内の各コマの表示サイズが表示部４４の画面サイズよりも大きい場合には、各コマ内で表示範囲を順次移動させる移動順序を決定する。
【００７０】
また、本例の移動順序決定部４２は、全域表示モードの場合にはページ画像の全域を順次表示させる移動順序を決定し、重要領域表示モードの場合には電子コミックデータの情報ファイルに基づいて重要領域を含む表示範囲を順次表示させる移動順序を決定する。
【００７１】
図４は、図３に示した第１実施形態の電子書籍ビューワ装置４における表示制御処理の一例の流れを示す概略フローチャートである。本処理は、電子書籍ビューワ装置４の実行制御部４９の統括制御によって、プログラムに従って実行される。このプログラムは、所定の記録媒体に記録して提供してもよいし、ネットワークを介して提供してもよい。
【００７２】
まず、電子書籍ビューワ装置４の入出力部４７（データ取得手段）によって、サーバ装置３から、電子コミックデータを取得する（ステップＳ２）。既に電子書籍ビューワ装置４のＤＢ４１に電子コミックデータが記憶されている場合には、ＤＢ４１内の電子コミックデータを用いて以降の処理を行えばよい。以下では、図５に示すページ画像を含む電子コミックデータが取得されたものとして説明する。図５のページ画像は、５つのコマを有しており、電子コミックデータの情報ファイルのコマ情報には、図６に示すように５つのコマの再生順序が記述されているものとする。図６において、ページ画像１００のコマ再生順序は、符号１０１のコマ、符号１０２のコマ、符号１０３のコマ、符号１０４のコマ、符号１０５のコマの順番である。尚、本例では電子コミックデータの情報ファイルにコマの再生順序が記述されているが、情報ファイルにコマの再生順序記述が無い場合でも、ページ情報に記述された、見開きの情報や、言語の情報等に基づいて、コマの再生順序を決定することが可能である。
【００７３】
また、本例の電子コミックデータの情報ファイルには、吹出し領域情報、テキスト領域情報、及び関心領域情報が記述されているものとする。例えば、図６の第３番目のコマ１０３の場合、図７（Ａ）に斜線で示す吹出し領域１１１、１１２の領域情報（吹出し領域情報）、図７（Ｂ）に点線で示すテキスト領域１２１、１２２の領域情報（テキスト領域情報）、及び、図７（Ｃ）に点線で示す関心領域１３１、１３２の領域情報（関心領域情報）が、情報ファイルに記述されている。本例の関心領域は、コミックに登場するキャラクタ（例えば登場人物）が描かれた領域である。
【００７４】
次に、移動順序決定部４２によって、電子コミックデータのページ画像内で表示部４４の画面サイズに対応した表示範囲を順次移動させる移動順序を決定する（ステップＳ４）。移動順序決定部４２は、電子コミックデータの情報ファイルに基づいて、ページ画像内の重要領域を含む表示範囲を表示部４４に順次表示させる移動順序を決定する。尚、表示範囲の移動順序決定には、各種の態様があり、後に説明する。
【００７５】
次に、操作部４６に表示範囲の移動指示（「画面送り指示」ともいう）が入力されたか否かを判定する（ステップＳ６）。表示制御部２５は、操作部４６に画面送り指示が入力される毎に、ステップＳ４で決定された表示範囲の移動順序に従って表示範囲をページ画像内で移動させる共に、ページ画像から表示範囲毎の画像を抽出し、その表示範囲内の画像を表示部４４に表示させる（ステップＳ８）。
【００７６】
次に、１ページが終了したか否かを判定し（ステップＳ１０）、１ページ終了でない場合にはステップＳ６に戻り、１ページ終了である場合には全ページ終了か否かを判定し（ステップＳ１２）、全ページ終了でない場合にはステップＳ４に戻り、全ページ終了である場合には本処理を終了する。
【００７７】
ページ画像内でいずれの領域を重要領域と認識するかは各種ある。ここでは、吹出し領域及び関心領域を重要領域と認識して移動順序を決定する実施例（第１実施例）と、テキスト領域及び関心領域を重要領域として認識して移動順序を決定する実施例（第２実施例）について、説明する。
【００７８】
図８は、第１実施例の説明図であって、図６に示したページ画像１００のうちで第３番目のコマ１０３に注目して、表示枠１４０（ページ画像１００のうちで表示部４４に表示される表示範囲を示す）の移動の様子を示している。
【００７９】
まず、本例では、図８の上段に示すように、第３番目のコマ１０３の右端に表示枠１４０の右端を一致させている。移動順序決定部４２によって、情報ファイルの吹出し領域情報及び関心領域情報に基づいて表示枠１４０（表示範囲）の初期位置を決定してもよいし、単純にコマ１０３の右端を基準に表示枠１４０の表示位置を決定してもよい。第３番目のコマ１０３の右端近傍には、本例の重要領域のひとつである吹出し領域１１１が存在しており、移動順序決定部４２は、表示枠１４０内に重要領域が存在すると判定して、この表示枠１４０の位置を第３番目のコマ１０３における第１番目の表示位置と決定する。
【００８０】
本例では、第１の移動Ｍ１として、表示枠１４０を表示枠１４０のサイズＷ１（表示部４４の画面サイズに対応した移動量である）で移動させている。移動順序決定部４２によって、情報ファイルの吹出し領域情報及び関心領域情報に基づいて移動量を決定してもよいし、単純に表示部４４の画面サイズに基づいて移動量を決定してもよい。第３番目のコマ１０３の右端からサイズＷ１だけ移動した位置の近傍には、本例の重要領域のひとつである関心領域１３２が存在しており、移動順序決定部４２は、表示枠１４０内に重要領域が存在すると判定して、この表示枠１４０の位置を第３のコマ１０３における第２番目の表示位置と決定する。
【００８１】
ここで、もしも、図８の下段に示すように、第２の移動Ｍ２として、表示枠１４０の左端が第３番目のコマ１０３の左端に達するまで移動させた場合を仮定してみる。この場合、第２の移動Ｍ２の前後の差分領域１４２内には、本例の重要領域である吹出し領域及び関心領域の両方が存在しない。このように、移動順序決定部４２は、差分領域１４２内に重要領域が存在しないと判定された場合には差分領域１４２に対応した移動Ｍ２を省略して、表示枠１４０（表示範囲）の移動順序を決定する。もしも、差分領域１４２内に重要領域が存在すると判定した場合には、その移動を省略しないで、表示枠１４０（表示範囲）の移動順序を決定する。
【００８２】
表示枠１４０の移動量を表示部４４の画面サイズに応じて一定量とした場合には、電子書籍ビューワ装置４で簡略に移動順序を決定できる観点から、好ましい。また、表示枠１４０の移動量を情報ファイルの吹出し領域情報及び関心領域情報に基づいて可変量として決定する場合には、ユーザが関心領域及びテキスト領域を見易いように移動量を制御できる観点から、好ましい。いずれの態様とするかは、電子書籍ビューワ装置４の処理性能や画面サイズに応じて、決めればよい。
【００８３】
尚、第３番目のコマ１０３のみについて説明したが、他のコマ（図６の１０１、１０２、１０４、１０５）についても同様な判定を行って表示範囲の移動順序を決定する。
【００８４】
第１実施例では、図９に示すように、第３番目のコマ１０３は２回表示された後、第３番目のコマ１０３の３回目の表示は省略されて、第４番目のコマ１０４が表示されることになる。即ち、図８に示した第２の移動Ｍ２は省略される。
【００８５】
図１０は、第２実施例の説明図であって、図６に示したページ画像１００のうちで第３番目のコマ１０３に注目して、表示枠１４０（ページ画像１００のうちで表示部４４に表示される表示範囲を示す）の移動の様子を示している。
【００８６】
まず、本例では、図１０の上段に示すように、第３番目のコマ１０３の右端に表示枠１４０の右端を一致させている。移動順序決定部４２によって、情報ファイルのテキスト領域情報及び関心領域情報に基づいて表示枠１４０（表示範囲）の初期位置を決定してもよいし、単純にコマ１０３の右端を基準に表示枠１４０の表示位置を決定してもよい。第３番目のコマ１０３の右端近傍には、本例の重要領域のひとつであるテキスト領域１２１が存在しており、移動順序決定部４２は、表示枠１４０内に重要領域が存在すると判定して、この表示枠１４０の位置を第３番目のコマ１０３における第１番目の表示位置と決定する。
【００８７】
次に、本例では、第１の移動Ｍ１として、表示枠１４０を表示枠１４０のサイズＷ２（表示部４４の画面サイズに対応した移動量である）で移動させている。移動順序決定部４２によって、情報ファイルのテキスト領域情報及び関心領域情報に基づいて移動量を決定してもよいし、単純に表示部４４の画面サイズに基づいて移動量を決定してもよい。第３番目のコマ１０３の右端からサイズＷ２だけ移動した位置の近傍には、本例の重要領域のひとつである関心領域１３２が存在しており、移動順序決定部４２は、表示枠１４０内に重要領域が存在すると判定して、この表示枠１４０の位置を第３のコマ１０３における第２番目の表示位置と決定する。
【００８８】
尚、第１の移動Ｍ１の移動量Ｗ２は、図８に示した第１実施例の移動量Ｗ１よりも小さい。これは、第２実施例における表示部４４の画面サイズが第１実施例の場合よりも小さいからである。
【００８９】
ここで、もしも、図１０の下段に示すように、第２の移動Ｍ２として、表示枠１４０の左端がコマ１０３の左端に達するまで移動させた場合を仮定してみる。この場合、第２の移動Ｍ２の前後の差分領域１４２内には、本例の重要領域であるテキスト領域及び関心領域の両方が存在しない。このように、移動順序決定部４２は、差分領域１４２内に重要領域が存在しないと判定された場合には差分領域１４２に対応した移動Ｍ２を省略して、表示枠１４０（表示範囲）の移動順序を決定する。もしも、差分領域１４２内に重要領域が存在すると判定した場合には、その移動を省略しないで、表示枠１４０（表示範囲）の移動順序を決定する。
【００９０】
図１０に示すように、第２の移動Ｍ２における差分領域１４２内には吹出し領域の一部が存在するけれども、第２実施例では、テキスト領域及び関心領域が重要領域であって、吹出し領域は重要領域でないため、第２の移動Ｍ２を省略する。
【００９１】
尚、第３番目のコマ１０３のみについて説明したが、他のコマ（図６の１０１、１０２、１０４、１０５）についても同様な判定を行って表示範囲の移動順序を決定する。
【００９２】
第２実施例では、図１１に示すように、第３番目のコマ１０３は２回表示された後、第３番目のコマ１０３の３回目の表示は省略されて、第４番目のコマ１０４が表示されることになる。即ち、図１０に示した第２の移動Ｍ２は省略される。
【００９３】
＜重要領域のタイプ＞
吹出し領域、テキスト領域及び関心領域のいずれを重要領域とするかは、次に説明する７通りの組み合わせ（重要領域１）〜（重要領域７）のいずれであってもよい。
【００９４】
（重要領域１）  テキスト領域のみを重要領域とする。この場合、移動順序決定部４２は、テキスト領域を含む表示範囲のみを表示部４４に順次表示させる移動順序を決定する。図１２は、テキスト領域のみを重要領域とした場合の表示枠１４０（表示範囲）の移動例を示す。尚、図１２では、吹出し領域内のテキスト領域のみを図示したが、吹出し外にテキスト領域がある場合には、その吹出し外のテキスト領域も表示部４４に必ず表示させることになる。
【００９５】
（重要領域２）  吹出し領域のみを重要領域とする。この場合、移動順序決定部４２は、吹出し領域を含む表示範囲のみを表示部４４に順次表示させる移動順序を決定する。
【００９６】
（重要領域３）  関心領域のみを重要領域とする。この場合、移動順序決定部４２は、関心領域を含む表示範囲のみを表示部４４に順次表示させる移動順序を決定する。図１３は、関心領域のみを重要領域とした場合の表示枠１４０（表示範囲）の移動例を示す。本例では、関心領域情報によって、コミックに登場するキャラクタの顔領域を関心領域として示されており、その関心領域情報に基づいて表示枠１４０の位置を決定している。
【００９７】
（重要領域４）  吹出し領域及び関心領域を重要領域とする（第１実施例）。この場合、移動順序決定部４２は、吹出し領域及び関心領域のうち少なくともひとつを含む表示範囲のみを表示部４４に順次表示させる移動順序を決定する。
【００９８】
（重要領域５）  テキスト領域及び関心領域を重要領域とする（第２実施例）。この場合、移動順序決定部４２は、テキスト領域及び関心領域のうち少なくともひとつを含む表示範囲のみを表示部４４に順次表示させる移動順序を決定する。
【００９９】
（重要領域６）  吹出し領域及びテキスト領域を重要領域とする。この場合、移動順序決定部４２は、少なくとも吹出し領域及びテキスト領域のうち少なくともひとつを含む表示範囲のみを表示部４４に順次表示させる移動順序を決定する。
【０１００】
（重要領域７）  吹出し領域、テキスト領域及び関心領域の全てを重要領域とする。この場合、移動順序決定部４２は、吹出し領域、テキスト領域及び関心領域のうち少なくともひとつを含む表示範囲のみを表示部４４に順次表示させる移動順序を決定する。
【０１０１】
以上、重要領域の７通りの組み合わせを示したが、これら以外の場合でもよい。即ち、吹出し領域、テキスト領域、関心領域以外の領域も重要領域として加えてもよい。例えば、高周波成分を含んだ領域を重要領域として加える等のバリエーションが挙げられる。
【０１０２】
＜重要領域選択＞
次に、重要領域選択の各種態様について説明する。重要領域は予め決めておいてもよいが、次の（選択態様１）〜（選択態様４）のようにして選択してもよい。
【０１０３】
（選択態様１）  電子コミックデータの情報ファイル（付帯情報）は、コマ毎又は領域毎に重要度に対応した数値情報を含み、移動順序決定部４２は情報ファイル内の重要度に対応した数値情報に基づいて表示範囲の移動順序を決定する。例えば、コマ毎に重要度数を割り当てておき、重要度数（０〜３）が「３」であるコマは全範囲が重要であり省略しないで全範囲を表示すると判定し、重要度数が「２」であるコマはテキスト領域及び関心領域が重要領域であると判定し、重要度数が「１」のコマはテキスト領域のみが重要領域であると判定する。また、例えば、コマ内の領域毎に重要度数を割り当てておき、特定のテキスト領域の重要度数が「３」であればその特定のテキスト領域が重要領域であると判定し、重要度数が「０」であればその特定のテキスト領域は重要領域では無いと判定する。
【０１０４】
（選択態様２）  電子コミックデータの情報ファイル（付帯情報）は、テキスト領域、吹出し領域及び関心対象領域のうちでいずれが重要領域であるかを示す重要領域指定情報を含み、移動順序決定部４２は情報ファイル内の重要領域指定情報に基づいて表示範囲の移動順序を決定する。全ページの全コマにわたって同一種類の領域（例えばテキスト領域のみ）を重要領域として指定してもよいし、ページ毎又はコマ毎に異なる種類の領域を重要領域として指定してもよい。例えば、特定のコマはテキスト領域のみを重要領域とし、別のコマはテキスト領域及び関心領域を重要領域とする。
【０１０５】
（選択態様３）  操作部４６によって、テキスト領域、吹出し領域及び関心対象領域のうちでいずれを重要領域とするかを示す詳細モードの設定入力を受け付ける。移動順序決定部４２は、操作部４６によって設定入力された詳細モードに基づいて表示範囲の移動順序を決定する。例えば、第１モードであればテキスト領域のみを重要領域として順次表示し、第２モードであれば関心領域のみを重要領域として順次表示し、第３モードであればテキスト領域及び関心領域の両方を重要領域として順次表示する。
【０１０６】
（選択態様４）  移動順序決定部４２は、表示部４４の画面サイズに基づいて表示範囲の移動順序を決定する。例えば、画面サイズが閾値よりも小さい場合には、テキスト領域のみを重要領域として移動順序を決定し、画面サイズが閾値以上である場合には、テキスト領域及び吹出し領域の両方を重要領域として移動順序を決定する。
【０１０７】
＜第２実施形態＞
図１４は、第２実施形態におけるサーバ装置３及び電子書籍ビューワ装置４の内部構成例を示す構成図である。尚、図３に示した第１実施形態と同じ構成要素には同じ符号を付しており、以下ではその説明を省略する。第２実施形態では、サーバ装置３で表示範囲の移動順序を決定して移動順序情報を生成し、電子書籍ビューワ装置４はサーバ装置３から受信した移動順序情報に基づいて画面送り制御（表示範囲の移動）を行う。
【０１０８】
図１４において、サーバ装置３は、移動順序決定部３２、及び、情報編集部３４を備える。その他の構成要素（ＤＢ３１、操作部３６、入出力部３７及び制御部３９）は第１実施形態と同様である。
【０１０９】
第２実施形態におけるサーバ装置３の移動順序決定部３２は、第１実施形態における電子書籍ビューワ装置４の移動順序決定部４２に対応した構成要素である。即ち、電子コミックデータのページ画像内で電子書籍ビューワ装置４の画面サイズ（表示部４４の画面サイズである）に対応した表示範囲を順次移動させる移動順序を決定する。移動順序決定部３２は、具体的には、電子コミックデータの情報ファイル（付帯情報）に基づいて、重要領域を含む表示範囲を電子書籍ビューワ装置４の表示部４４にて順次表示させる移動順序を決定する。
【０１１０】
尚、移動順序の決定方法の詳細は、第１実施形態の電子書籍ビューワ装置４の移動順序決定部４２における移動順序の決定方法と同様であり、ここでは説明を省略する。
【０１１１】
情報編集部３４は、移動順序決定部４２によって決定された移動順序を示す移動順序情報を電子コミックデータの情報ファイル（付帯情報）に書き込む。情報編集部３４によって移動順序情報が追加された情報ファイルを含む電子コミックデータは、入出力部３７によって電子書籍ビューワ装置４に送信される。
【０１１２】
本例の情報編集部３４は、ページ画像の全域を順次表示させる全域表示モード用の移動順序情報と、ページ画像内の重要領域を順次表示させる重要領域表示モード用の移動順序情報とを、電子コミックデータの情報ファイル（付帯情報）に書き込む。
【０１１３】
電子書籍ビューワ装置４におけるＤＢ４１、表示部４４、表示制御部４５、操作部４６、入出力部４７、実行制御部４９は、第１実施形態で説明したので、ここでは異なる点のみ説明する。
【０１１４】
電子書籍ビューワ装置４の入出力部４７は、サーバ装置３から、移動順序情報が付加された電子コミックデータを受信する。
【０１１５】
電子書籍ビューワ装置４の表示制御部４５は、受信した電子コミックデータの情報ファイル内の移動順序情報に従って、ページ画像から表示範囲毎の画像を順次抽出して表示部４４に順次表示させることで、ページ画像内の重要領域を表示部４４に順次表示させる。
【０１１６】
電子書籍ビューワ装置４の操作部４６は、第１実施形態と同様に、全域表示モードと前記重要領域表示モードとの切替指示の入力を受け付ける。本実施形態の表示制御部４５は、全域表示モードの場合には、情報ファイル内の全域表示モード用の移動順序情報に従ってページ画像の全域を表示部４４に順次表示し、重要領域表示モードの場合には、情報ファイル内の重要領域表示モード用の移動順序情報に従って、重要領域を含む表示範囲を表示部４４に順次表示させる。
【０１１７】
尚、本発明は、本明細書において説明した例や図面に図示された例には限定されず、本発明の要旨を逸脱しない範囲において、各種の設計変更や改良を行ってよいのはもちろんである。
【符号の説明】
【０１１８】
３…サーバ装置、３１…サーバ装置のデータベース、３２…サーバ装置の移動順序決定部、３４…サーバ装置の情報編集部、３６…サーバ装置の操作部、３７…サーバ装置の入出力部、３９…サーバ装置の制御部、４…電子書籍ビューワ装置、４１…電子書籍ビューワ装置のデータベース、４２…電子書籍ビューワ装置の移動順序決定部、４４…電子書籍ビューワ装置の表示部、４５…電子書籍ビューワ装置の表示制御部、４６…電子書籍ビューワ装置の操作部、４７…電子書籍ビューワ装置の入出力部、４９…電子書籍ビューワ装置の実行制御部
【図１】
0005528410.tif 000002
【図２】
0005528410.tif 000003
【図３】
0005528410.tif 000004
【図４】
0005528410.tif 000005
【図５】
0005528410.tif 000006
【図６】
0005528410.tif 000007
【図７】
0005528410.tif 000008
【図８】
0005528410.tif 000009
【図９】
0005528410.tif 000010
【図１０】
0005528410.tif 000011
【図１１】
0005528410.tif 000012
【図１２】
0005528410.tif 000013
【図１３】
0005528410.tif 000014
【図１４】
0005528410.tif 000015